(57)【要約】【課題】使用者の足の操作により容易に座部の高さを調節でき、誤動作が生じにくく、安全性及び操作性に優れた椅子の提供。【解決手段】座部と、該座部を昇降させる昇降手段と、脚部と、前記昇降手段に回動乃至回転可能に接続され、かつ前記脚部より下方に設けられた足受部と、を有する椅子である。【選択図】図２
2015013010.tif 000002
【特許請求の範囲】
【請求項１】
座部と、該座部を昇降させる昇降手段と、脚部と、
前記昇降手段に回動乃至回転可能に接続され、かつ前記脚部より下方に設けられた足受部と、を有することを特徴とする椅子。
【請求項２】
足受部が、昇降手段を中心に放射状に伸びている脚部に対して交差方向に延設部を有する請求項１に記載の椅子。
【請求項３】
延設部の長さが、１本の脚部の長さに対して０．２倍〜１．５倍である請求項２に記載の椅子。
【請求項４】
足受部が、延設部の両端から接続部が伸びて該接続部の他端同士が昇降手段を介して連結した形状である請求項２から３のいずれかに記載の椅子。
【請求項５】
足受部が、該足受部を回動乃至回転させることにより、脚部と当接して前記足受部が降下するのを防止する誤動作防止部材を有する請求項１から４のいずれかに記載の椅子。
【請求項６】
手すり部を回動乃至回転可能に有する請求項１から５のいずれかに記載の椅子。
【発明の詳細な説明】
【技術分野】
【０００１】
本発明は、フットペダル式昇降機能を有する椅子に関する。
【背景技術】
【０００２】
従来より、ガススプリングを使用して座部を昇降するようにした椅子としては、手動レバーを作動させて座部の高さを調節可能なものが知られている。しかし、前記手動レバーを有する椅子では、椅子の使用者の両手がふさがっている場合や衛生上の問題で手が使えない場合には座部を昇降させることができないという課題がある。
そこで、例えば、特許文献１には、図１に示すように、リング状のフットペダル１４が脚部１の上方に設けられており、前記フットペダル１４を足で踏むことにより、ガススプリング１０を作動させ、座部１３の高さを調節することができる椅子が提案されている。なお、図１中２は支持体、７はリング受け、１５は足掛けリング、１９は主軸をそれぞれ表す。
しかし、前記提案の椅子では、脚部１の上方に設けられたリング状のフットペダル１４の全周（３６０°）のどの位置を踏んでもガススプリング１０が作動してしまい、座部の高さ調節が必要ない時でもリング状のフットペダル１４を足で踏むと座部１３が誤動作してしまうことがあり、操作性及び安全性に問題があった。
【０００３】
したがって、使用者の足の操作により容易に座部の高さを調節でき、誤動作が生じにくく、安全性及び操作性に優れたフットペダル式昇降機能を有する椅子の提供が望まれている。
【先行技術文献】
【特許文献】
【０００４】
【特許文献１】実公昭５９−５４０１号公報
【発明の概要】
【発明が解決しようとする課題】
【０００５】
本発明は、従来における前記諸問題を解決し、以下の目的を達成することを課題とする。
即ち、本発明は、使用者の足の操作により容易に座部の高さを調節でき、誤動作が生じにくく、安全性及び操作性に優れたフットペダル式昇降機能を有する椅子を提供することを目的とする。
【課題を解決するための手段】
【０００６】
前記課題を解決するための手段としては、以下の通りである。即ち、
＜１＞  座部と、該座部を昇降させる昇降手段と、脚部と、
前記昇降手段に回動乃至回転可能に接続され、かつ前記脚部より下方に設けられた足受部と、を有することを特徴とする椅子である。
前記＜１＞に記載の椅子においては、座部と、該座部を昇降させる昇降手段と、脚部と、前記昇降手段に回動乃至回転可能に接続され、かつ前記脚部より下方に設けられた足受部とを有する。使用者が足で前記足受部を踏むことにより容易に座部の高さを調節でき、座部の高さを調節しないときには、足受部を回動乃至回転させて脚部の下に配置することができ、足受部が邪魔にならず、また誤動作が生じにくくなり、安全性及び操作性に優れたものである。また、キャスター付の椅子の場合には、座ったままで椅子を移動させる際に、足受部が回動乃至回転可能に接続されているので、足受部を邪魔にならない位置まで移動させることができる。
＜２＞  足受部が、昇降手段を中心に放射状に伸びている脚部に対して交差方向に延設部を有する前記＜１＞に記載の椅子である。
前記＜２＞に記載の椅子においては、足受部が、昇降手段を中心に放射状に伸びている脚部に対して交差方向に延設部を有するので、使用者が足で前記足受部の延設部を踏むことにより容易に座部の高さを調節できる。
＜３＞  延設部の長さが、１本の脚部の長さに対して０．２倍〜１．５倍である前記＜２＞に記載の椅子である。
前記＜３＞に記載の椅子においては、延設部の長さが、１本の脚部の長さに対して０．２倍〜１．５倍であるため、足受部の延設部を容易に踏むことができると共に、座部の高さの調節が不要なときには、足受部を回動乃至回転させて脚の下に退避させることにより、誤って足受部を踏んでも誤動作を防止できる。
＜４＞  足受部が、延設部の両端から接続部が伸びて該接続部の他端同士が昇降手段を介して連結した形状である前記＜２＞から＜３＞のいずれかに記載の椅子である。
前記＜４＞に記載の椅子においては、足受部が、延設部の両端から接続部が伸びて該接続部の他端同士が昇降手段を介して連結した形状である。その結果、足による操作が容易に行え、座部の高さの調節が不要なときには、足受部を脚の下に退避させることにより、誤って足受部を踏んでも誤動作を防止できる。
＜５＞  足受部が、該足受部を回動乃至回転させることにより、脚部と当接して前記足受部が降下するのを防止する誤動作防止部材を有する前記＜１＞から＜４＞のいずれかに記載の椅子である。
前記＜５＞に記載の椅子においては、前記足受部が誤動作防止部材を有し、前記足受部が回動乃至回転可能である。前記足受部を回動乃至回転させて前記誤動作防止部材を前記脚部に当接させる。その結果、座部の高さの調節が不要な時には前記足受部が降下するのを防止でき、誤って足受部を踏んでも誤動作が生じることを確実に防止できる。
＜６＞  手すり部を回動乃至回転可能に有する前記＜１＞から＜５＞のいずれかに記載の椅子である。
前記＜６＞に記載の椅子においては、使用者が椅子に座った状態で、手すり部を回動乃至回転させて位置を調節することができ、前記手すり部に腕や肘を載せて固定して作業が行えるので、利便性が高いものである。
【発明の効果】
【０００７】
本発明によると、従来における前記問題を解決することができ、使用者の足の操作により容易に座部の高さを調節でき、誤動作が生じにくく、安全性及び操作性に優れたフットペダル式昇降機能を有する椅子を提供することができる。
【図面の簡単な説明】
【０００８】
【図１】図１は、従来の椅子の一例を示す概略斜視図である。
【図２】図２は、本発明の椅子の一例を示す分解斜視図である。
【図３】図３は、足受部の一例を示す概略図である。
【図４】図４は、足受部の他の一例を示す概略図である。
【図５】図５は、足受部の他の一例を示す概略図である。
【図６】図６は、足受部の他の一例を示す概略図である。
【図７】図７は、足受部の他の一例を示す概略図である。
【図８】図８は、足受部の他の一例を示す概略図である。
【図９】図９は、昇降手段の一例を示す部分拡大図である。
【図１０】図１０は、本発明の一例に係る椅子の座部の昇降動作を説明する説明図である。
【図１１】図１１は、本発明の他の一例に係る椅子の座部の昇降動作を説明する説明図である。
【図１２】図１２は、本発明の椅子の昇降手段、脚部、及び足受部の一例を示す部分斜視図である。
【図１３】図１３は、図１２を上方から見た平面図である。
【図１４】図１４は、図１２及び図１３において、足受部を作動させた状態の一例を示す側面図である。
【図１５】図１５は、図１２において、足受部を脚の下に退避させた状態の一例を示す上から見た平面図である。
【図１６】図１６は、図１５の側面図である。
【図１７】図１７は、本発明の椅子の昇降手段、脚部、及び足受部の他の一例を示す部分斜視図である。
【図１８】図１８は、図１７を上方から見た平面図である。
【図１９】図１９は、図１７及び図１８において、足受部を作動させた状態の一例を示す側面図である。
【図２０】図２０は、図１７において、足受部を脚の下に退避させた状態の一例を示す上から見た平面図である。
【図２１】図２１は、図２０の側面図である。
【図２２】図２２は、本発明の椅子の昇降手段、脚部、及び足受部の他の一例を示す部分斜視図である。
【図２３】図２３は、図２２を上方から見た平面図である。
【図２４】図２４は、図２２及び図２３において、足受部を作動させた状態の一例を示す側面図である。
【図２５】図２５は、図２２において、足受部を脚部の上に退避させた状態の一例を示す上から見た平面図である。
【図２６】図２６は、図２５の側面図である。
【発明を実施するための形態】
【０００９】
（椅子）
本発明の椅子は、座部と、該座部を昇降させる昇降手段と、脚部と、足受部とを有し、好ましくは誤動作防止部材及び手すり部を有し、更に必要に応じてその他の部材を有してなる。
【００１０】
＜座部＞
前記座部は、椅子に座った人の臀部が接する部材であり、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂、などが挙げられる。これらの中でも、成形性、コストの点からポリプロピレン樹脂が特に好ましい。
前記座部の形状、大きさ等については、特に制限はなく、目的に応じて適宜選択することができるが、通常用いられる程度の形状及び大きさが好ましい。
前記座部の座面には、特に制限はなく、目的に応じて適宜選択することができ、例えば、布、合成皮革等の外皮（カバー）、ウレタンフォーム等のクッション材、などを設けることができる。
本発明においては、後述するように、使用者の足による足受部の操作によって座部の高さを自由に調節可能である。
【００１１】
＜昇降手段＞
前記昇降手段としては、前記座部を昇降させて、座部の高さを適宜調節することができる手段であれば特に制限はなく、目的に応じて適宜選択することができるが、例えば、ガススプリング、圧縮コイルばね、オイルダンパ、エアダンパ、などが挙げられる。これらの中でも、椅子への装着が簡単でコンパクトで安価な設計が可能であり、流通性、コスト等の汎用性、一定の力を保持できる性能の点から、ガススプリングが特に好ましい。
前記ガススプリングとしては、例えば、３０ｋｇ程度のものを持ち上げる能力を有するものが好ましく用いられる。
前記ガススプリングとしては、特に制限はなく、目的に応じて適宜選択することができるが、市販品を用いることができる。
前記ガススプリングの長さ及び形状等については、特に制限はなく、目的に応じて適宜選択することができるが、通常用いられる程度の長さ及び形状が好ましい。
通常の椅子に使われるガススプリングは、該ガススプリング上端部に作動用固定部（ロック）が設けられている。また、ガススプリングの上端部は、椅子の座部への取り付け易さの点から、一般に各製品で共通寸法のテーパー形状に形成されている。
本発明においては、ガススプリングの下端部に、作動用固定部（ロック）が設けられているが、ガススプリングの上端部を通常の椅子に使用されているガススプリングと共通寸法のテーパー形状とすることで、通常の椅子の座部をそのままで、かつ簡単に使用することができ、種々の座部との接合が容易に可能となり、座部の豊富なバリエーションを展開することができる。
なお、前記昇降手段による座部の昇降動作は、特に制限はなく、目的に応じて適宜選択することができ、公知の方法を採用することができる。
【００１２】
＜脚部＞
前記脚部としては、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、強化ポリプロピレン樹脂、ＡＢＳ樹脂、ＦＲＰ、強化ナイロン等の樹脂、などが挙げられる。これらの中でも、強度の点から、鉄、アルミニウム、強化ナイロンが好ましい。
前記脚部の形状、大きさ、構造、数等についても、特に制限はなく、目的に応じて適宜選択することができ、通常用いられる程度の形状及び大きさが好ましい
前記脚部の構造としては、例えば、パイプ状、軸状、棒状、などが挙げられる。
前記脚部の数としては、特に制限はなく、目的に応じて適宜選択することができ、昇降手段を中心に放射状に伸びた５本の脚を備えたもの、などが好適である。
前記脚部の床面（接地面）と接触する端部には、特に制限はなく、目的に応じて適宜選択することができるが、椅子の運搬性及び利便性の点から、キャスターを有することが好ましい。また、前記脚部の床面（接地面）と接触する端部には、安定した作業で使用する点から、アジャスターを有することが好ましい。
【００１３】
＜足受部＞
前記足受部としては、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂、などが挙げられる。これらの中でも、樹脂、金属が好ましい。
前記足受部の形状、大きさ、構造等については特に制限はなく、目的に応じて適宜選択することができる。前記足受部の形状としては、スティック状、扇状、円盤状、リング状、などが挙げられる。前記足受部の大きさとしては、足をかけることができる大きさであれば特に制限はなく、目的に応じて適宜選択することができる。
前記足受部の構造としては、例えば、パイプ状、平板状、軸状、棒状、などが挙げられる。
【００１４】
前記足受部を使用者が足で踏むことにより、前記昇降手段が作動し、座部の高さを自由に調節することができる。また、足受部のどの部分を踏んでも座部の高さを調節可能である。
前記足受部は、前記昇降手段に回動乃至回転可能に接続され、かつ前記脚部より下方に設けられている。
前記足受部が前記昇降手段に回動乃至回転可能に接続されているので、座部の高さ調節が不要な時には、足受部を回動乃至回転させて脚部の下に退避させることにより、誤動作を防止することができる。また、キャスター付の椅子の場合には、座ったままで椅子を移動させる際に、足受部を回動乃至回転させることにより、足受部が邪魔にならない位置まで移動させることができる。
前記足受部が、前記脚部より下方に設けられているので、前記足受部が邪魔になることを防止でき、操作性に優れ、かつ誤動作も防止できる。
前記足受部が、昇降手段を中心に真ん中で支持されているので、安定かつ力をかけやすいので軽い力でも操作することができる。
【００１５】
前記足受部は、昇降手段を中心に放射状に伸びている脚部に対して交差方向に延設部を有することが好ましい。前記足受部と前記脚部との交差の態様としては、特に制限はなく、目的に応じて適宜選択することができ、例えば、点、線、曲線、面、曲面、及びこれらの組み合わせのいずれであっても構わない。
前記延設部の形状、大きさ等については、特に制限はなく、目的に応じて適宜選択することができ、通常用いられる程度の形状及び大きさが好ましい。
前記延設部の長さが、１本の脚部の長さに対し、０．２倍〜１．５倍であることが好ましい。前記延設部の長さが、１本の脚部の長さに対し、０．２倍未満であると、前記延設部の長さが短すぎて、足受部を踏む操作が困難となることがある。一方、前記延設部の長さが長すぎて、足受部を退避することが困難となり、誤動作が生じるおそれがある。
前記１本の脚部の長さは、脚部の一の端部から他の端部までの距離であり、一の端部は昇降手段を始点として求めることができる。
前記延設部の長さは、延設部の形状が直線乃至平面である場合には、延設部の両端間の距離を意味し、延設部の形状が曲線乃至曲面である場合には、円弧乃至円に近似換算した長さを意味する。
前記延設部は、隣接する２本の脚部の間にほぼ収まる大きさであることが好ましい。これにより、座部の高さ調節が不要な時には、足受部を回動乃至回転させて脚部の間から脚部の下に退避させた時に、脚部から延設部がはみ出る部分が少なくなるので、誤って足受部を踏んでも誤動作が生じることを防止できる。
【００１６】
前記足受部は、該足受部を回動乃至回転させることにより、脚部と当接して前記足受部が降下するのを防止する誤動作防止部材を有することが好ましい。これにより、座部の高さを調節しないときには、確実に誤動作を防止することができ、安全性が高いものである。
前記脚部と前記足受部の誤動作防止部材との当接は、脚部の下から当接する態様、及び脚部の上から当接する態様のいずれであってもよい。
前記誤動作防止部材の形状、大きさ、数、材質等についても、特に制限はなく、目的に応じて適宜選択することができ、前記誤動作防止部材の形状としては、例えば、突起状、リブ状、切欠状、などが挙げられる。
前記誤動作防止部材の大きさとしては、特に制限はなく、目的に応じて適宜選択することができ、通常用いられる程度の大きさが好ましい。
前記誤動作防止部材の数としては、足受部の形状及び大きさなどに応じて適宜選択することができるが、１つ以上が好ましい。
【００１７】
ここで、前記足受部としては、特に制限はなく、目的に応じて適宜選択することができ、例えば、図３〜図８に示すものなどが好適に挙げられる。
図３は、前記足受部１０４が、延設部１０９の両端から接続部１１０、１１０が伸びて該接続部の他端同士が昇降手段１０２を介して連結した形状を一対有するものである。
図４は、図３に示す延設部１０９の両端から接続部１１０、１１０が伸びて該接続部の他端同士が昇降手段１０２を介して連結した形状の足受部１０４を１つ有するものである。
図５は、略扇形状の３つの足受部１０４を有するものである。
図６は、スティック状の延設部１０９を棒状の接続部１１０で連結した３つの足受部１０４を有するものである。
図７は、リング状の延設部１０９を接続部で連結した足受部１０４を有するものである。
図８は、円盤状の延設部１０９からなる足受部１０４を有するものである。
これらの中でも、操作性に優れ、かつ誤動作が起こらないように脚部の下に足受部を退避可能である点から、図３、図４、図５、図６が好ましい。
【００１８】
＜手すり部＞
前記手すり部は、椅子に座った人が手や肘を載せることができる部材であり、その大きさ、形状、構造、材質等については、特に制限はなく、目的に応じて適宜選択することができる。前記材質としては、例えば、ステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂、などが挙げられる。これらの中でも、成形性、コストの点からポリプロピレン樹脂が特に好ましい。
前記手すり部の形状、大きさについては、特に制限はなく、目的に応じて適宜選択することができるが、通常用いられる程度の形状及び大きさが好ましい。
前記手すり部の構造としては、単層構造又は２層構造であることが好ましい。
前記手すり部は、特に制限はなく、目的に応じて適宜選択することができ、例えば、外皮（カバー）、クッション材、などを設けることができる。
前記手すり部は、座部の周囲を回動乃至回転可能に取り付けられている。これにより、座った状態で手すり部を回動乃至回転させて位置を調節することができる。
【００１９】
＜その他の部材＞
前記その他の部材としては、特に制限はなく、目的に応じて適宜選択することができ、例えば、背凭れ、足置き、肘掛け部、メモ台、ランバーサポート、などが挙げられる。
【００２０】
本発明の椅子の使用方法としては、特に制限はなく、目的に応じて適宜選択することができるが、例えば、座部を高く調節するときには、使用者が片足を地面に載せ、もう一方の片足で足受部を踏むことにより足受部が傾き、テコの原理によりガススプリングのロックが外れ、ガススプリングが作動する。そして、ガススプリングの付勢力が働いている状態で使用者が腰を浮かせ、所望の高さで足受部を離すことで、ガススプリングがロックされ座部の高さを調節することができる。一方、座部を下げる時は、使用者が座ったままで足受部を踏んで所望の高さで足受部から足を離すことにより、座部の高さを調節することができる。
なお、座部の高さの調節が完了した後、足で足受部を回動乃至回転させて、脚の下に配置させることにより、誤動作を防止することができる。また、足受部が誤動作防止部材を有する場合には、誤って足受部を踏んでも誤動作が生じることを確実に防止でき、安全性が高いものである。
したがって、使用者が作業などで手がふさがっている状態や、衛生上の問題から手が使えない場合であっても座部の高さを調節可能である。
【００２１】
本発明の椅子は、埃がつきにくく、コンタミを防止でき、衛生面に優れた材料を用いることにより、例えば、歯科医師用椅子、医師用椅子等の医療用途に好適である。
更に、本発明の椅子は、例えば、理容用椅子、クリーンルーム用椅子、実験室用椅子、事務用椅子、オフィス用椅子、家庭用椅子等の回転椅子；バンケット用椅子、レストラン用椅子、店舗用椅子、会議室用椅子等のパイプ椅子（非回転椅子）；サイドチェア、ロッキングチェア、リクライニングチェアなどの各種椅子に好適に用いられる。
【実施例】
【００２２】
以下、本発明の実施例につき図面を用いて具体的に説明するが、本発明はこの実施例に何ら限定されるものではない。
【００２３】
（実施例１）
本発明の椅子の実施例１について説明する。図２は、実施例１の椅子１００の分解斜視図を示す。
図２に示すように、椅子１００は、座部１０１と、該座部１０１を昇降させる昇降手段１０２と、脚部１０３と、前記脚部より下方に設けられた足受部１０４と、を有している。図２中、１０５は手すり部、１０６はガススプリング、１０７は外筒、１０８はキャスター、１１１はバネ、１１２は取付部、１１３はプッシュ金具をそれぞれ表す。
【００２４】
この実施例１では、足受部１０４としては、図３に示す形状の金属材料から形成されたものを用いている。
この図３に示す形状の足受部１０４は、延設部１０９の両端から接続部１１０，１１０が伸びて該接続部の他端同士が昇降手段１０２を介して連結した形状である。これにより、高さを調節する際には足で操作し易く、座部１０１の高さ調節が不要な時には、足受部１０４を回動乃至回転させて、脚部１０３の下に足受部１０４を退避可能である。
【００２５】
前記脚部１０３は、金属等の公知の材料を所定形状に加工して製造されている。この実施例１では、昇降手段１０２を中心に放射状に伸びた５本の脚部を有している。
脚部１０３の床面（接地面）接触する端部に、椅子の運搬性、利便性の点から、キャスター１０８が設けられている。
足受部１０４は、昇降手段１０２を中心に放射状に伸びた５本の脚部１０３に対して交差方向に延設部１０９を有している。
この実施例１では、延設部１０９の長さは、一端から他端までの１本の脚部の長さに対して１．１倍であり、前記足受部１０４の延設部１０９は、隣接する２本の脚部の間にほぼ収まる大きさである。これにより、座部の高さ調節が不要な時には、足受部を脚部の下に退避させて、誤動作を防止することができる。
【００２６】
前記昇降手段１０２は、前記座部を昇降させる手段である。
前記昇降手段１０２は、図２及び図９に示すように、付勢手段としてのガススプリング１０６、外筒１０７、バネ１１１、取付部１１２、プッシュ金具１１３を有している。
ガススプリング１０６の上方先端部は、通常の椅子に使用されているガススプリングと共通寸法のテーパー形状に形成されており、通常の椅子の座部をそのままで、かつ簡単に使用でき、種々の座部との接合が容易に可能となり、座部の豊富なバリエーションを展開することができる。
ガススプリング１０６の下端部には、作動用固定部（ロック）が設けられており、プッシュ金具１１３を介して足受部１０４と連結されており、足受部１０４を傾けるとテコの原理によりプッシュ金具１１３が競り上がり、ガススプリング１０６のロックが外れ、ガススプリング１０６が作動してガススプリング１０６の付勢力により、座部が昇降可能となる。
【００２７】
前記座部１０１の上側方には、椅子に座った人の腕や肘を置くことができる手すり部１０５が設けられている。
手すり部１０５は、金属、プラスチック等の公知の材料を所定形状に加工して製造されている。
手すり部１０５は、座部の周囲を回動乃至回転可能に取り付けられている。これにより、座った状態で手すり部を回動乃至回転させて位置を調節することができる。
【００２８】
前記実施例１の椅子は、足受部１０４が昇降手段１０２に回動乃至回転可能に接続されているので、座部１０１の高さの調節が済んで、座部の高さの調節が不要な時には、足受部１０４を回動乃至回転させて、脚部１０３の下に配置することにより、誤って足受部を踏んでも誤動作が生じることを防止できる。
【００２９】
前記実施例１の椅子の使用方法としては、特に制限はなく、目的に応じて適宜選択することができるが、例えば、図１０の上図に示すように、座部１０１（不図示）を上げるときには、使用者が片足を地面に載せ、もう一方の片足で足受部１０４を踏むことにより、図１０の下図に示すように足受部１０４が傾き、テコの原理によりプッシュ金具１１３が競り上がり、ガススプリング１０６のロックが外れ、ガススプリング１０６が作動する。そして、ガススプリング１０６の付勢力が働いている状態で使用者が腰を浮かせ、所望の高さとなったところで足を足受部１０４から離すことにより、バネ１１１の反発力によりガススプリング１０６がロックされ、座部１０１（不図示）の高さを調節することができる。一方、座部を下げる時は、使用者が座ったままで足受部１０４を踏んで所望の高さで足受部１０４から足を離すことにより、座部の高さを固定することができる。
なお、座部の高さの調節が完了した後、足で足受部１０４を回動乃至回転させて、脚の下に配置させることにより、誤って足受部を踏んでも誤動作が生じることを防止できる。
【００３０】
（実施例２）
本発明の椅子の実施例２について説明する。
この実施例２においては、図３に示す足受部を図４に示す足受部１０４に変えた以外は、実施例１と同様の構成をとるため、共通する部分の説明は省略する。
【００３１】
この実施例２の椅子は、図４に示す足受部１０４を有しており、この足受部１０４は昇降手段１０２に片方のみ回動乃至回転に接続されているので、足受部１０４を容易に脚部の下に退避させることができ、誤動作を確実に防止できる。
【００３２】
前記実施例２の椅子の使用方法としては、特に制限はなく、目的に応じて適宜選択することができるが、例えば、図１１の上図に示すように、座部１０１（不図示）を上げるときには、使用者が片足を地面に載せ、もう一方の片足で足受部１０４を踏むことにより、図１１の下図に示すように足受部１０４が傾き、テコの原理によりプッシュ金具１１３が競り上がり、ガススプリング１０６のロックが外れ、ガススプリング１０６が作動する。そして、ガススプリング１０６の付勢力が働いている状態で使用者が腰を浮かせ、所望の高さとなったところで足を足受部１０４から離すことにより、バネ１１１の反発力によりガススプリング１０６がロックされ、座部１０１（不図示）の高さを調節することができる。一方、座部を下げる時は、使用者が座ったままで足受部１０４を踏んで所望の高さで足受部１０４から足を離すことにより、座部の高さを固定することができる。
なお、座部の高さの調節が完了した後、足で足受部１０４を回動乃至回転させて、脚の下に配置させることにより、誤って足受部を踏んでも誤動作が生じることを防止できる。
【００３３】
（実施例３）
本発明の椅子の実施例３について説明する。
この実施例３においては、図１２〜図１６に示すように、足受部１０４を５つの羽根状部材とした以外は、実施例１と同様の構成をとるため、共通する部分の説明は省略する。
【００３４】
この実施例３の椅子は、図１２に示す５つの羽根状の足受部１０４を有しており、この足受部１０４が昇降手段１０２に回動乃至回転可能に接続されている。
座部１０１（不図示）の高さを調節する場合には、図１３に示すように、５つの羽根状の足受部１０４が５本の脚部１０３の間（隣接する脚部同士の間）に配置された状態で、使用者が片足を地面に載せ、もう一方の片足で足受部１０４を踏むことにより、図１４に示すように足受部１０４が傾き、テコの原理によりプッシュ金具１１３が競り上がり、ガススプリング１０６のロックが外れ、ガススプリング１０６が作動する。そして、ガススプリング１０６の付勢力が働いている状態で使用者が腰を浮かせ、所望の高さとなったところで足を足受部１０４から離すことで、バネの反発力によりガススプリング１０６がロックされ座部の高さを固定することができる。
一方、座部の高さを調節しない場合には、足受部１０４を回動乃至回転させて足受部１０４を脚部１０３の下に退避することができる（図１５及び図１６参照）。足受部１０４の昇降手段１０２の近傍には、突起状の誤動作防止部材１１４が設けられており、足受部１０４を踏むと誤動作防止部材１１４が下側から脚部１０３に当接（図１５及び図１６参照）し、足受部１０４が降下することがないので、誤って足受部を踏んでも誤動作が生じることを確実に防止できる。
【００３５】
（実施例４）
本発明の椅子の実施例４について説明する。
この実施例４においては、図１７〜図２１に示すように、足受部１０４を１つの羽根状部材とした以外は、実施例１と同様の構成をとるため、共通する部分の説明は省略する。なお、足受部の数は１つには限られず、２つ以上の複数とすることができる。
【００３６】
この実施例４の椅子は、図１７に示す１つの羽根状の足受部１０４を有しており、この足受部１０４は昇降手段１０２に回動乃至回転可能に接続されている。
座部１０１（不図示）の高さを調節する場合には、図１８に示すように、１つの羽根状の足受部１０４が５本の脚部１０３の間（隣接する脚部同士の間）のいずれかに配置された状態で、使用者が片足を地面に載せ、もう一方の片足で足受部１０４を踏むことにより、図１９に示すように足受部１０４が傾き、テコの原理によりプッシュ金具１１３が競り上がり、ガススプリング１０６のロックが外れ、ガススプリング１０６が作動する。そして、ガススプリング１０６の付勢力が働いている状態で使用者が腰を浮かせ、所望の高さとなったところで足を足受部１０４から離すことで、バネの反発力でガススプリング１０６がロックされ座部の高さを固定することができる。
一方、座部の高さを調節しない場合には、足受部１０４を回動乃至回転させて足受部１０４を容易に脚部１０３の下に退避することができる（図２０及び図２１参照）。足受部１０４の昇降手段１０２の近傍には、突起状の誤動作防止部材１１４が設けられており、足受部１０４を踏むと誤動作防止部材１１４が下側から脚部１０３に当接（図２０及び図２１参照）し、足受部１０４が降下することがないので、誤って足受部を踏んでも誤動作が生じることを確実に防止できる。
【００３７】
（実施例５）
本発明の椅子の実施例５について説明する。
この実施例５においては、図２２〜図２６に示すように、足受部１０４を昇降手段と連結し、脚部１０３の下から脚部１０３の上まで伸びる１つのべダル状とした以外は、実施例１と同様の構成をとるため、共通する部分の説明は省略する。なお、ペダル状の足受部１０４の数は１つには限られず、２つ以上の複数とすることができる。
【００３８】
この実施例５の椅子は、図２２に示す１つのペダル状の足受部１０４を有しており、この足受部１０４は昇降手段１０２に回動可能に接続されている。
座部１０１（不図示）の高さを調節する場合には、図２３に示すように、１つのペダル状の足受部１０４が５本の脚部１０３の間（隣接する脚部同士の間）のいずれかに配置された状態で、使用者が片足を地面に載せ、もう一方の片足で足受部１０４を踏むことにより、図２４に示すように足受部１０４が傾き、テコの原理によりプッシュ金具１１３が競り上がり、ガススプリング１０６のロックが外れ、ガススプリング１０６が作動する。そして、ガススプリング１０６の付勢力が働いている状態で使用者が腰を浮かせ、所望の高さとなったところで足を足受部１０４から離すことで、バネ１１１の反発力によりガススプリング１０６がロックされ座部の高さを固定することができる。
一方、座部の高さを調節しない場合には、足受部１０４を回動させて、脚部の上に退避することができる（図２５及び図２６参照）。足受部１０４の下面に切欠を有する誤動作防止部材１１４が設けられているので、足受部１０４を踏むと誤動作防止部材１１４が上側から脚部１０３に当接（図２５及び図２６参照）し、足受部１０４が降下することがなく、誤って足受部を踏んでも誤動作が生じることを確実に防止できる。
【００３９】
以上、本発明の椅子について詳細に説明したが、本発明は上記実施例に限定されず、本発明の要旨を逸脱しない範囲で種々変更しても差支えない。
【産業上の利用可能性】
【００４０】
本発明の椅子は、例えば、医療用椅子、理容用椅子、クリーンルーム用椅子、実験室用椅子、事務用椅子、オフィス用椅子、家庭用椅子等の回転椅子；バンケット用椅子、レストラン用椅子、店舗用椅子、会議室用椅子等のパイプ椅子（非回転椅子）；サイドチェア、ロッキングチェア、リクライニングチェアなどの各種椅子に好適に用いられ、手を使って作業をし、埃がつきにくく、コンタミを防止でき、衛生面に優れた材料を用いることにより、歯科医師用椅子、医師用椅子等の医療用途に特に好適である。
【符号の説明】
【００４１】
１００      椅子
１０１      座部
１０２      昇降手段
１０３      脚部
１０４      足受部
１０５      手すり部
１０６      ガススプリング
１０７      外筒
１０８      キャスター
１０９      延設部
１１０      接続部
１１１      バネ
１１２      取付部
１１３      プッシュ金具
１１４      誤動作防止部材
【図１】
2015013010.tif 000003
【図２】
2015013010.tif 000004
【図３】
2015013010.tif 000005
【図４】
2015013010.tif 000006
【図５】
2015013010.tif 000007
【図６】
2015013010.tif 000008
【図７】
2015013010.tif 000009
【図８】
2015013010.tif 000010
【図９】
2015013010.tif 000011
【図１０】
2015013010.tif 000012
【図１１】
2015013010.tif 000013
【図１２】
2015013010.tif 000014
【図１３】
2015013010.tif 000015
【図１４】
2015013010.tif 000016
【図１５】
2015013010.tif 000017
【図１６】
2015013010.tif 000018
【図１７】
2015013010.tif 000019
【図１８】
2015013010.tif 000020
【図１９】
2015013010.tif 000021
【図２０】
2015013010.tif 000022
【図２１】
2015013010.tif 000023
【図２２】
2015013010.tif 000024
【図２３】
2015013010.tif 000025
【図２４】
2015013010.tif 000026
【図２５】
2015013010.tif 000027
【図２６】
2015013010.tif 000028